(57)【要約】【課題】携帯情報端末機の破損を軽減する携帯情報端末機用ケースを提供する。【解決手段】携帯情報端末機用ケース２は、外袋２３と内袋３４の二重構造であり、内袋３４に携帯情報端末機１が収納される。これにより正面からの衝撃圧の吸収が軽減され画面１２の破損が軽減される。また、外袋２３と内袋３４の間には所定の幅による緩衝部３５を設けたことで、携帯情報端末機用ケース２を床等に落下させた場合では外袋２３は変形するが緩衝部３５により内袋３４の衝撃は緩和され、携帯情報端末機１の破損を防ぐことができる。【選択図】図１
2017127412.tif 000002
【特許請求の範囲】
【請求項１】
矩形で１辺に第１の開口を有する外袋と、
矩形で１辺に第２の開口を有し内部に携帯情報端末機を収納する内袋で形成され、
前記内袋は前記外袋の内側に取付けられ、前記第１の開口と前記第２の開口は同じ方向に位置し、前記外袋の前記第１の開口を除く三辺と、前記内袋の前記第２の開口を除く三辺との間には、所定の幅の緩衝部が設けられていることを特徴とする携帯情報端末機用ケース。
【請求項２】
前記内袋の前記第２の開口の外周縁が前記外袋の内面に固定されていることを特徴とする請求項１に記載の携帯情報端末機用ケース。
【請求項３】
前記外袋の前記第１の開口には、ファスナーが設けられていることを特徴とする請求項１または２に記載の携帯情報端末機用ケース。
【発明の詳細な説明】
【技術分野】
【０００１】
本発明は携帯情報端末機を収納して保護するケースの構造に関する。
【背景技術】
【０００２】
携帯情報端末機を収納するケースに特許文献１に記載されたものがある。これは携帯情報端末機を衝撃や水濡れから保護するためのケースであり、柔軟な塩化ビニール製の透明シートでなる前面パネルと背面パネルとをその周縁の左右辺および下辺に沿って互いに溶着して縦長封筒形のケースを形成し、前面パネルと背面パネルとの上辺に沿って防水ファスナーを設けて封筒状の挿入口を密封可能にしたものである。そして、背面パネルを防水ファスナーよりも上方に延長して形成した舌状片に穴を設け、その穴にストラップを取り付けてストラップを首に掛けることで携帯情報端末機を首から吊り下げることができるものである。
【先行技術文献】
【特許文献】
【０００３】
【特許文献１】特開２０１５−１００３６８号公報
【発明の概要】
【発明が解決しようとする課題】
【０００４】
しかしながら特許文献１に示されたケースは、携帯情報端末機の持ち運びには便利であるが、ケースを落としたり、踏みつけたり、ケースを振り回して角をぶつけるなどをした場合、ケース内に収納された携帯情報端末機が破損する問題が起きていた。
【０００５】
本発明は以上述べた問題点を解決し、携帯情報端末機が受ける衝撃を吸収する構造としたことで携帯情報端末機の破損を軽減する携帯情報端末機用ケースを提供する。
【課題を解決するための手段】
【０００６】
上述した課題を解決するために本発明の携帯情報端末機用ケースは、矩形で１辺に第１の開口を有する外袋と、矩形で１辺に第２の開口を有し内部に携帯情報端末機を収納する内袋とで形成され、前記内袋は前記外袋の内側に取付けられ、前記第１の開口と前記第２の開口は同じ方向に位置し、前記外袋の前記第１の開口を除く三辺と、前記内袋の前記第２の開口を除く三辺との間には、所定の幅の緩衝部が設けられていることを特徴とする。
【０００７】
また、前記内袋の前記第２の開口の外周縁が前記外袋の内面に固定されていることも含まれる。
【０００８】
さらに、前記外袋の前記第１の開口には、ファスナーが設けられていることも含まれる。
【発明の効果】
【０００９】
上記のように構成した本発明の携帯情報端末機用ケースは、外袋と内袋の二重構造となっており、内袋に携帯情報端末機が収納される。これにより正面からの衝撃圧の吸収が軽減され画面の破損が軽減される。
また、外袋と内袋の間には所定の幅による緩衝部を設けたことで、携帯情報端末機を収納した携帯情報端末機用ケースを床等に落下させた場合では外袋の一部が変形するが緩衝部により内袋の衝撃は緩和されることで、携帯情報端末機の破損を防ぐことができる。
【図面の簡単な説明】
【００１０】
【図１】本発明の携帯情報端末機用ケース内に携帯情報端末機を収納した状態を示す正面図である。
【図２】本発明の携帯情報端末機用ケースの使用状態を示す図である。
【図３】本発明の携帯情報端末機用ケースの分解図である。
【図４】本発明の携帯情報端末機用ケースの正面図である。
【図５】図４のＡ−Ａ断面の部分拡大断面図である。
【図６】本発明の携帯情報端末機用ケースが落下した状態を示す図である。
【発明を実施するための形態】
【００１１】
以下、本発明を実施するための形態を、添付図面に基づいた実施例として詳細に説明する。
【実施例】
【００１２】
図１と図２に示す本実施例の携帯情報端末機用ケースは、例えば病院で患者案内システムに使われる患者案内カード（以下案内カード１とする）を収納するケース２のことである。但し案内カード１に限らず携帯電話、スマートフォンおよびタブレット等の携帯情報端末機を収納するケースとして使用してもよい。
【００１３】
案内カード１は、病院内に設置された図示しない電子カルテサーバーと無線で接続され、病院内を通信エリアとすることで患者（以下ユーザーＮとする）が待合室に縛られることなく、無線通信により診察の進行状況が簡単に確認でき、待ち時間のストレスが軽減されるものである。
【００１４】
ユーザーＮが病院の再来受付機に診察券を挿入すると同時にユーザーＮに案内カード１が貸し出される。案内カード１は葉書サイズの薄型の本体１１の中央に電子ペーパーによる画面１２を備える。画面１２には当日受信する診療科目・予約時間が表示され、診察時間が近づくとメッセージが表示される。また図示しないが音声装置とバイブレータ装置も備えユーザーＮにメッセージがあることを画面１２の表示とともに通知する。これによりユーザーＮは診察までの間、喫茶や読書など好きな過ごし方で順番を待つことができる。
【００１５】
ケース２は再来受付機の近傍に置かれている。ケース２には図３に示すように後述する内裏面シート３２に案内カード１を収納する説明図３３が予め印刷されており、患者はこれに従って後述する内袋３４の中に案内カード１を挿入して後述するファスナー２５を閉じる。そして後述するストラップ用孔２７に取り付けられたストラップ４を首に掛けて吊り下げることで自由に病院内を移動できる。この時、案内カード１は図１に示すように画面１２の天地が逆転した状態でケース２に収納されているが、図２に示すようにユーザーＮは首に掛けたままケース２を手にすると案内カード１の画面１２の天地が正しい状態となり表示内容を容易に確認できる。
【００１６】
ケース２は、図３の分解図と図４の正面図に示すように、矩形で厚さ約０．３ｍｍの軟質塩化ビニールなどの柔軟な樹脂製の外表面シート２１と、外表面シート２１と同形の外裏面シート２２とからなる外袋２３と、外表面シート２１よりも小型の矩形で厚さ約０．３ｍｍの軟質塩化ビニールなどの柔軟な樹脂製の透明な内表面シート３１と、内表面シート３１と同形の内裏面シート３２とからなる内袋３４で形成され、さらに厚さ約０．５ｍｍの軟質塩化ビニールなどの樹脂製の補強シート２４と、ケース２を開閉する留め具２５１およびレール２５２を有するファスナー２５を備える。なお、外表面シート２１と内表面シート３１は透明でなくてはならないが、外裏面シート２２と内裏面シート３２は必ずしも透明でなくてもよい。
【００１７】
図４と図５を合わせて参照して、外表面シート２１と外裏面シート２２は一方の長辺２１１、２２１（図４では右辺）の上下に角丸を設けた長方形である。まず、外表面シート２１と外裏面シート２２を重ね合わせる。この時ストラップ４を取り付ける面となる短辺２１２、２２２（図４では上辺）側には外表面シート２１と外裏面シート２２の間に補強シート２４も挟んでおく。そして、短辺２１２、２２２と長辺２１１、２２１ともう一方の短辺２１３、２２３（図４では下辺）の三辺をそれぞれ溶着する。さらに補強シート２４の下辺部２６１も溶着して補強シート２４のある面２６にストラップ用孔２７を形成しておく。これで外袋２３が形成され、溶着された三辺はそれぞれ辺２３２、２３３、２３４となる。
【００１８】
外表面シート２１と外裏面シート２２の他の長辺２１４、２２４は開口される。この開口を以下第１の開口２３１とする。第１の開口２３１にはファスナー２５が溶着されて設けられる。ファスナー２５を長辺側である第１の開口２３１に設けたことで案内カード１を挿入する口が広く開いて出し入れが容易となる。
【００１９】
ストラップ用孔２７は、外袋２３のファスナー２５側でない面２６に設けていることで、ストラップ４が案内カード１の出し入れの妨げになることがなく、首からぶら下げた状態でも案内カード１の出し入れができる。また、ストラップ用孔２７は補強シート２４で補強されていることで、ストラップ４を強く引っ張ってもストラップ用孔２７は裂けにくくなっている。
【００２０】
次に内表面シート３１と内裏面シート３２は一方の長辺３１１、３２１（図４では右辺）の上下に角丸を設けた長方形である。まず、内表面シート３１と内裏面シート３２を重ね合わせる。そして、短辺３１２、３２２（図４では上辺）と長辺３１１、３２１ともう一方の短辺３１３、３２３（図４では下辺）の三辺を溶着することで内袋３４が形成され、溶着された三辺はそれぞれ辺３４２、３４３、３４４となる。
【００２１】
内表面シート３１と内裏面シート３２の他の長辺３１４、３２４は開口される。この開口を以下第２の開口３４１とする。そして第２の開口３４１を第１の開口２３１と同じ方向に位置させて内袋３４を外袋２３の内側に取付ける。
【００２２】
そして内表面シート３１の長辺３１４を外表面シート２１に溶着し、内裏面シート３２の長辺３２４を外裏面シート２２に溶着する。つまり、内袋３４の第２の開口３４１の外周縁（長辺３１４、３２４）が外袋２３の内面（外表面シート２１、外裏面シート２２）に固定されることになる。最後に辺２３２と辺２３４と平行になるファスナー２５部分を溶着して留め具２５１が抜けないように留め具ストッパー２５３を設ける。これでケース２が形成される。なお、内袋３４を外袋２３に固定する場合、第２の開口３４１以外の外周縁（辺３４２、３４３、３４４）を外袋２３の内面に溶着してもよい。
【００２３】
案内カード１を入れる時は、ファスナー２５の留め具２５１をレール２５２に沿って辺２３２側に移動させると、第１の開口２３１が開き外袋２３に固定されている内袋３４の第２の開口３４１が同時に開口する。これで自ずと内袋３４に案内カード１が導かれる。次に留め具２５１をレール２５２に沿って辺２３４側に移動させると内袋３４内に案内カード１を収納することができる。
【００２４】
外袋２３の第１の開口２３１を除く三辺２３２（図４では２６１）、２３３、２３４と、内袋３４の第２の開口３４１を除く三辺３４２、３４３、３４４とのそれぞれの間には、所定の幅の隙間（空間）が設けられていて、これが緩衝部３５となる。図６に示すように、例えば案内カード１を入れたケース２を床等に落下させた場合は、外袋２３の角部２３１が変形するが緩衝部３５により内袋３４の衝撃は緩和され、案内カード１の破損を防ぐことができる。
【００２５】
また、ケース２をファスナー２５側から落下させた場合は、緩衝部３５は設けられていないが、ファスナー２５の留め具２５１と留め具ストッパー２５３があることで、案内カード１の衝撃は緩和される。
【００２６】
また、ケース２は外袋２３と内袋３４の２重構造となっていることで、手で押されたりする正面からの衝撃も軽減することができ、画面１２の破損が軽減される。
【００２７】
なお、以上の説明では第１の開口２３１は長辺２１４、２２４側に、第２の開口３４１は長辺３１４、３２４側に設けているが、第１の開口２３１と、第２の開口３４１は同じ方向に開口していればよく、長辺２１４、２２４および長辺３１４、３２４以外の各々の三辺いずれかに設けることも可能である。
【００２８】
また、本実施例では、ストラップ用孔２７を備えたケース２で説明したが、必ずしもストラップ用孔２７は無くてもよい。
【符号の説明】
【００２９】
１：患者案内カード（携帯情報端末機）、１１：本体、１２：画面
２：ケース（携帯情報端末機用ケース）、２１：外表面シート、２２：外裏面シート、２３：外袋、２３１：第１の開口、２４：補強シート、２５：ファスナー、２５１：留め具、２５２：レール、２５３：留め具ストッパー、２７：ストラップ用孔
３１：内表面シート、３２：内裏面シート、３３：説明図、３４：内袋、３４１：第２の開口、３５：緩衝部
４：ストラップ
Ｎ：ユーザー
【図１】
2017127412.tif 000003
【図２】
2017127412.tif 000004
【図３】
2017127412.tif 000005
【図４】
2017127412.tif 000006
【図５】
2017127412.tif 000007
【図６】
2017127412.tif 000008